(57)【要約】【課題】マーカに対応した位置から再生を開始しようとする時点において再生される音声や表示される字幕の種類を知らせ、且つ、音声の種類や字幕の種類の変更操作を簡単なものとする。【解決手段】マーカ情報記憶手段は、マーカに対応した情報の表示を指示されると、マーカに対応付けて記憶したオーディオストリーム情報とサブタイトルストリーム情報とを表示する（Ｓ３）。また、情報の変更時では、マーカに対応付けて記憶する情報を、変更用として指示されたオーディオストリーム情報とサブタイトルストリーム情報とに変更する（Ｓ１６）。【選択図】  図１
2005116002.tif 000002
【特許請求の範囲】
【請求項１】
ビデオストリームとオーディオストリームとサブタイトルストリームとが記録された記録媒体の再生を行う記録媒体再生手段と、
マーカに対応付けてビデオストリームの再生位置を記憶するマーカ情報記憶手段と、
マーカに基づいた再生を指示されたときには、マーカに対応付けて記憶された再生位置からビデオストリームの再生を開始する再生制御手段とを備えたＤＶＤ再生装置において、
マーカ情報記憶手段は、再生位置をマーカに対応付けて記憶するときには、そのときに再生されていたオーディオストリームの種類を示すオーディオストリーム情報と、前記そのときに表示されていたサブタイトルストリームの種類を示すサブタイトルストリーム情報と、そのときに再生されていたアングルの種類を示すアングル情報との３種の情報を再生位置とともにマーカに対応付けて記憶し、且つ、マーカに対応した情報の表示となるときには、マーカに対応して記憶したオーディオストリーム情報とサブタイトルストリーム情報とアングル情報とを表示するとともに、オーディオストリームの種類の変更となるときには選択可能なオーディオストリームの種類の一覧を表示するとともにカーソルにより指示されたオーディオストリームの種類を変更用として指示されたオーディオストリームの種類と見なし、サブタイトルストリームの種類の変更となるときには選択可能なサブタイトルストリームの種類の一覧を表示するとともにカーソルにより指示されたサブタイトルストリームの種類を変更用として指示されたサブタイトルストリームの種類と見なし、アングルの種類の変更となるときには選択可能なアングルの種類の一覧を表示するとともにカーソルにより指示されたアングルの種類を変更用として指示されたアングルの種類と見なし、変更の終了となったときには、変更用として指示された種類を示すオーディオストリーム情報とサブタイトルストリーム情報とアングル情報とのみを表示し且つ変更用として指示されなかった種類を示すオーディオストリーム情報とサブタイトルストリーム情報とアングル情報との表示を停止するとともに、変更用として指示されたオーディオストリームの種類を示すオーディオストリーム情報と変更用として指示されたサブタイトルストリームの種類を示すサブタイトルストリーム情報と変更用として指示されたアングルの種類を示すアングル情報とをマーカに対応付けて記憶し、
再生制御手段は、マーカに対応付けて記憶された再生位置からビデオストリームの再生を行うときには、再生するオーディオストリームの種類をマーカに対応付けて記憶されたオーディオストリーム情報が示す種類とし、表示するサブタイトルストリームの種類をマーカに対応付けて記憶されたサブタイトルストリーム情報が示す種類とし、再生するアングルの種類をマーカに対応付けて記憶されたアングル情報が示す種類とすることを特徴とするＤＶＤ再生装置。
【請求項２】
ビデオストリームとオーディオストリームとサブタイトルストリームとが記録された記録媒体の再生を行う記録媒体再生手段と、
マーカに対応付けてビデオストリームの再生位置を記憶するマーカ情報記憶手段と、
マーカに基づいた再生を指示されたときには、マーカに対応付けて記憶された再生位置からビデオストリームの再生を開始する再生制御手段とを備えた映像信号再生装置において、
マーカ情報記憶手段は、再生位置をマーカに対応付けて記憶するときには、そのときに再生されていたオーディオストリームの種類を示すオーディオストリーム情報と、そのときに表示されていたサブタイトルストリームの種類を示すサブタイトルストリーム情報との２種の情報を再生位置とともにマーカに対応付けて記憶し、マーカに対応した情報の表示となるときには、マーカに対応付けて記憶したオーディオストリーム情報とサブタイトルストリーム情報とを表示し、オーディオストリーム情報の変更となるときには、マーカに対応付けて記憶するオーディオストリーム情報を既に記憶していたオーディオストリーム情報から変更用として指示されたオーディオストリーム情報に変更し、サブタイトルストリーム情報の変更となるときには、マーカに対応付けて記憶するサブタイトルストリーム情報を既に記憶していたサブタイトルストリーム情報から変更用として指示されたサブタイトルストリーム情報に変更し、
再生制御手段は、マーカに対応付けて記憶した再生位置からビデオストリームの再生を行うときには、再生するオーディオストリームの種類をマーカに対応付けて記憶されたオーディオストリーム情報が示す種類とし、表示するサブタイトルストリームの種類をマーカに対応付けて記憶されたサブタイトルストリーム情報が示す種類とすることを特徴とする映像信号再生装置。
【請求項３】
マーカ情報記憶手段は、再生位置をマーカに対応付けて記憶するときには、そのときに再生されていたアングルの種類を示すアングル情報を再生位置とともにマーカに対応付けて記憶し、マーカに対応した情報の表示となるときには、マーカに対応付けて記憶したアングル情報を表示し、アングル情報の変更となったときには、マーカに対応付けて記憶するアングル情報を既に記憶していたアングル情報から変更用として指示されたアングル情報に変更し、
再生制御手段は、マーカに対応付けて記憶した再生位置からビデオストリームの再生を行うときには、再生するアングルの種類をマーカに対応付けて記憶されたアングル情報が示す種類とすることを特徴とする請求項２記載の映像信号再生装置。
【発明の詳細な説明】
【技術分野】
【０００１】
本発明は、マーカに対応付けてビデオストリームの再生位置を記憶するとともに、マーカに基づく再生を指示されたときには、マーカに対応して記憶された再生位置からビデオストリームの再生を開始するＤＶＤ再生装置および映像信号再生装置に関する。
【背景技術】
【０００２】
ＤＶＤ再生装置においては、ＤＶＤに記録されたビデオタイトルの任意の位置を、再生の開始位置に設定することを可能にするため、マーカサーチの機能が設けられている。このマーカサーチを利用するには、ビデオタイトルの再生中に、開始位置として記憶させたい箇所が再生されたとき、マーカサーチキーを操作する。この操作を行うと、マーカ番号の一覧が表示される。この表示状態において、振り当てたいマーカ番号を選択した後、決定キーを操作すると、振り当てられた番号のマーカに対応付けて、そのときの再生位置が記憶される。このようにして、マーカに対応付けて再生位置を記憶させた後には、マーカサーチキーを操作してマーカ番号の一覧を表示させた後、所望番号のマーカを指定して再生キーを操作すると、指定したマーカに対応する再生位置から再生が開始される（第１の従来技術とする）。
【０００３】
また、以下に示す技術が提案されている（第２の従来技術とする）。すなわち、この技術においては、予約録画を行う場合、自動的に生成されるタイトル番号の元に、タイトル名、日付、録画の開始時間と終了時間、受信するチャンネル、および、標準モードか長時間モードかを示す記録モードを入力することが可能になっている。また、既に記録されたタイトル、および、予約録画となっているタイトルの各記録位置が、記録媒体の記録エリアにおいて、どのように配置されているのかを示す帯状表示を行うようになっている。従って、ユーザにとっては、記録媒体の記録状態を参照できるので、タイマー録画の記録開始位置を簡単に指定することができるようになる（例えば、特許文献１参照）。
【０００４】
また、以下に示す技術が提案されている（第３の従来技術とする）。すなわち、この技術においては、再生の開始位置を示すマーカ設定の時間間隔を、ユーザの好む値に設定可能にしている。そして、記録時では、ユーザによって設定された時間が経過する毎に、マーカの設定を行っている。従って、例えば、時間間隔を３０秒にして録音する場合では、マーカが３０秒毎に設定されるので、録音内容を、３０秒を単位として、任意の位置から再生を開始させることができる。また、設定した時間間隔毎に設定されるマーカと、記録を単位として設定されるマーカとを区別可能にすることも併せて開示されている（例えば、特許文献２参照）。
【０００５】
【特許文献１】特開平１１−２９７０５１号公報
【特許文献２】特開２００１−１４３４４１号公報
【発明の開示】
【発明が解決しようとする課題】
【０００６】
しかしながら第１の従来技術を用いた場合には、以下に示す問題が生じていた。すなわち、マーカによって設定した位置から再生を開始させるために、マーカ番号の一覧から、再生させたい位置に対応するマーカ番号を選択したとき、画面に表示される内容は、タイトル番号と再生の開始位置を示す時間情報のみとなっている。このため、例えば、コンテンツが洋画である場合、再生される音声が日本語なのか、あるいは、英語なのかについては、再生を開始してみるまで分からなかった。また、字幕が表示されるようなっているのか、あるいは、表示されないようになっているのについても、同様に、再生を開始してみるまでは分からなかった。また、マーカによって設定した位置から再生を開始させるときに、音声や字幕を、そのときの好みの音声や字幕に変更しようとするときでは、初期設定の画面に戻って設定を変更する必要があるので、変更が煩わしい操作になるという問題もあった。
【０００７】
第２の従来技術は、予約録画を行うときに、録画しようとするタイトルに関する情報として、タイトル名、日付、録画の開始時間と終了時間、受信するチャンネル、および、記録モード、の入力を可能にする技術であり、併せて、記録媒体の記録エリアにおける記録内容の配置を表示する技術となっている。このため、第１の従来技術において生じる問題を解決する観点から見る場合には、適用することが困難な技術となっている。
【０００８】
第３の従来技術は、ユーザによって設定された時間間隔でマーカを自動的に設定する技術となっているに過ぎないので、第１の従来技術において生じる問題を解決しようとする観点から見る場合には、適用することが困難な技術となっている。
【０００９】
本発明は上記課題を解決するため創案されたもので、その目的は、マーカに対応した位置から再生を開始しようとする時点において、再生される音声や表示される字幕やアングルの種類を知らせることができるようにするとともに、音声の種類や字幕の種類やアングルの種類の変更操作を簡単なものとすることのでき、且つ、音声の種類や字幕の種類やアングルの種類の変更を行った後には、変更後の内容の確認を容易なものとすることのできるＤＶＤ再生装置を提供することにある。
【００１０】
また本発明の目的は、オーディオストリームの種類を示す情報とサブタイトルストリームの種類を示す情報との２種の情報を、再生位置とともにマーカに対応付けて記憶し、マーカによる再生を指示する画面となるときには、記憶した２種の情報を表示するとともに、表示した内容を変更可能とし、再生を行うときには、変更後の情報が示すオーディオストリームを再生し、変更後の情報が示すサブタイトルストリームを表示することにより、マーカに対応した位置から再生を開始しようとする時点において再生される音声や表示される字幕の種類を知らせることができるようにするとともに、音声の種類や字幕の種類の変更操作を簡単なものとすることのできる映像信号再生装置を提供することにある。
【００１１】
また上記目的に加え、再生位置をマーカに対応付けて記憶するときには、そのときに再生されていたアングルの種類を示すアングル情報を再生位置とともにマーカに対応付けて記憶し、マーカによる再生を指示する画面となるときには、記憶したアングル情報を表示するとともに、表示内容を変更可能とし、再生を行うときには、変更後の情報が示すアングルを再生することにより、マーカに対応した位置から再生を開始しようとする時点において再生されるアングルの種類を知らせることができるようにするとともに、アングルの種類の変更操作を簡単なものとすることのできる映像信号再生装置を提供することにある。
【課題を解決するための手段】
【００１２】
上記の課題を解決するため、本発明に係るＤＶＤ再生装置は、ビデオストリームとオーディオストリームとサブタイトルストリームとが記録された記録媒体の再生を行う記録媒体再生手段と、マーカに対応付けてビデオストリームの再生位置を記憶するマーカ情報記憶手段と、マーカに基づいた再生を指示されたときには、マーカに対応付けて記憶された再生位置からビデオストリームの再生を開始する再生制御手段とを備えたＤＶＤ再生装置に適用している。そして、マーカ情報記憶手段は、再生位置をマーカに対応付けて記憶するときには、そのときに再生されていたオーディオストリームの種類を示すオーディオストリーム情報と、前記そのときに表示されていたサブタイトルストリームの種類を示すサブタイトルストリーム情報と、そのときに再生されていたアングルの種類を示すアングル情報との３種の情報を再生位置とともにマーカに対応付けて記憶し、且つ、マーカに対応した情報の表示となるときには、マーカに対応して記憶したオーディオストリーム情報とサブタイトルストリーム情報とアングル情報とを表示するとともに、オーディオストリームの種類の変更となるときには選択可能なオーディオストリームの種類の一覧を表示するとともにカーソルにより指示されたオーディオストリームの種類を変更用として指示されたオーディオストリームの種類と見なし、サブタイトルストリームの種類の変更となるときには選択可能なサブタイトルストリームの種類の一覧を表示するとともにカーソルにより指示されたサブタイトルストリームの種類を変更用として指示されたサブタイトルストリームの種類と見なし、アングルの種類の変更となるときには選択可能なアングルの種類の一覧を表示するとともにカーソルにより指示されたアングルの種類を変更用として指示されたアングルの種類と見なし、変更の終了となったときには、変更用として指示された種類を示すオーディオストリーム情報とサブタイトルストリーム情報とアングル情報とのみを表示し且つ変更用として指示されなかった種類を示すオーディオストリーム情報とサブタイトルストリーム情報とアングル情報との表示を停止するとともに、変更用として指示されたオーディオストリームの種類を示すオーディオストリーム情報と変更用として指示されたサブタイトルストリームの種類を示すサブタイトルストリーム情報と変更用として指示されたアングルの種類を示すアングル情報とをマーカに対応付けて記憶する。また、再生制御手段は、マーカに対応付けて記憶された再生位置からビデオストリームの再生を行うときには、再生するオーディオストリームの種類をマーカに対応付けて記憶されたオーディオストリーム情報が示す種類とし、表示するサブタイトルストリームの種類をマーカに対応付けて記憶されたサブタイトルストリーム情報が示す種類とし、再生するアングルの種類をマーカに対応付けて記憶されたアングル情報が示す種類とする。
【００１３】
すなわち、マーカ情報記憶手段は、マーカに対応した情報の表示となるときでは、マーカに対応付けて記憶したオーディオストリーム情報とサブタイトルストリーム情報とアングル情報とを表示する。また、情報の変更となるときでは、マーカに対応付けて記憶する情報を、変更用として指示されたオーディオストリーム情報とサブタイトルストリーム情報とアングル情報とに変更する。また、変更の終了となったときでは、変更用として指示された種類を示すオーディオストリーム情報とサブタイトルストリーム情報とアングル情報とのみを表示し、変更用として指示されなかった種類を示す情報の表示を停止する。
【００１４】
また本発明に係る映像信号再生装置は、ビデオストリームとオーディオストリームとサブタイトルストリームとが記録された記録媒体の再生を行う記録媒体再生手段と、マーカに対応付けてビデオストリームの再生位置を記憶するマーカ情報記憶手段と、マーカに基づいた再生を指示されたときには、マーカに対応付けて記憶された再生位置からビデオストリームの再生を開始する再生制御手段とを備えた映像信号再生装置に適用している。そして、マーカ情報記憶手段は、再生位置をマーカに対応付けて記憶するときには、そのときに再生されていたオーディオストリームの種類を示すオーディオストリーム情報と、そのときに表示されていたサブタイトルストリームの種類を示すサブタイトルストリーム情報との２種の情報を再生位置とともにマーカに対応付けて記憶し、マーカに対応した情報の表示となるときには、マーカに対応付けて記憶したオーディオストリーム情報とサブタイトルストリーム情報とを表示し、オーディオストリーム情報の変更となるときには、マーカに対応付けて記憶するオーディオストリーム情報を既に記憶していたオーディオストリーム情報から変更用として指示されたオーディオストリーム情報に変更し、サブタイトルストリーム情報の変更となるときには、マーカに対応付けて記憶するサブタイトルストリーム情報を既に記憶していたサブタイトルストリーム情報から変更用として指示されたサブタイトルストリーム情報に変更する。また、再生制御手段は、マーカに対応付けて記憶した再生位置からビデオストリームの再生を行うときには、再生するオーディオストリームの種類をマーカに対応付けて記憶されたオーディオストリーム情報が示す種類とし、表示するサブタイトルストリームの種類をマーカに対応付けて記憶されたサブタイトルストリーム情報が示す種類とする。
【００１５】
すなわち、マーカ情報記憶手段は、マーカに対応した情報の表示となるときでは、マーカに対応付けて記憶したオーディオストリーム情報とサブタイトルストリーム情報とを表示する。また、情報の変更となるときでは、マーカに対応付けて記憶する情報を、変更用として指示されたオーディオストリーム情報とサブタイトルストリーム情報とに変更する。
【００１６】
また上記構成に加え、マーカ情報記憶手段は、再生位置をマーカに対応付けて記憶するときには、そのときに再生されていたアングルの種類を示すアングル情報を再生位置とともにマーカに対応付けて記憶し、マーカに対応した情報の表示を指示されたときには、マーカに対応付けて記憶したアングル情報を表示し、アングル情報の変更となったときには、マーカに対応付けて記憶するアングル情報を既に記憶していたアングル情報から変更用として指示されたアングル情報に変更し、再生制御手段は、マーカに対応付けて記憶した再生位置からビデオストリームの再生を行うときには、再生するアングルの種類をマーカに対応付けて記憶されたアングル情報が示す種類とする。
【００１７】
すなわち、マーカ情報記憶手段は、マーカに対応した情報の表示となるときでは、マーカに対応付けて記憶したアングル情報を表示する。また、情報の変更となるときでは、マーカに対応付けて記憶する情報を、変更用として指示されたアングル情報に変更する。
【発明の効果】
【００１８】
本発明によれば、マーカ情報記憶手段は、マーカに対応した情報の表示となるときでは、マーカに対応付けて記憶したオーディオストリーム情報とサブタイトルストリーム情報とアングル情報とを表示する。また、情報の変更となるときでは、マーカに対応付けて記憶する情報を、変更用として指示されたオーディオストリーム情報とサブタイトルストリーム情報とアングル情報とに変更する。また、変更の終了時では、変更用として指示された種類を示すオーディオストリーム情報とサブタイトルストリーム情報とアングル情報とのみを表示し、変更用として指示されなかった種類を示す情報の表示を停止する。このため、マーカに対応した位置から再生を開始しようとする時点において、再生される音声や表示される字幕やアングルの種類を知らせることができる。且つ、音声の種類や字幕の種類やアングルの種類の変更操作を簡単なものとすることができ、且つ、音声の種類や字幕の種類やアングルの種類の変更を行った後には、変更後の内容の確認を容易なものとすることができる。
【００１９】
また本発明によれば、マーカ情報記憶手段は、マーカに対応した情報の表示となるときでは、マーカに対応付けて記憶したオーディオストリーム情報とサブタイトルストリーム情報とを表示する。また、情報の変更となるときでは、マーカに対応付けて記憶する情報を、変更用として指示されたオーディオストリーム情報とサブタイトルストリーム情報とに変更する。このため、マーカに対応した位置から再生を開始しようとする時点において再生される音声や表示される字幕の種類を知らせることができる。且つ、音声の種類や字幕の種類の変更操作を簡単なものとすることができる。
【００２０】
また、さらに、マーカ情報記憶手段は、マーカに対応した情報の表示となるときでは、マーカに対応付けて記憶したアングル情報を表示する。また、情報の変更となるときでは、マーカに対応付けて記憶する情報を、変更用として指示されたアングル情報に変更する。このため、マーカに対応した位置から再生を開始しようとする時点において再生されるアングルの種類を知らせることができる。且つ、アングルの種類の変更操作を簡単なものとすることができる。
【発明を実施するための最良の形態】
【００２１】
以下に本発明の実施例の形態を、図面を参照しつつ説明する。
図４は、本発明に係るディスク再生装置の一実施形態の電気的構成を示すブロック線図であり、具体的にはＤＶＤ再生装置を示している。
【００２２】
図において、ピックアップ９は、ＣＬＶとなるように、スピンドルモータ８によって回転駆動されるＤＶＤ（記録媒体）７からデータを読み取る。そして、読み取ったデータを示す信号を信号処理部２に出力する。サーボ制御部１０は、信号処理部２から出力されるトラッキングエラー信号とフォーカスエラー信号とに基づいて、ピックアップ９のトラッキングとフォーカシングとのサーボ制御を行う。また、信号処理部２から出力されるクロックに基づいて、スピンドルモータ８の回転速度を制御する。
【００２３】
信号処理部２は、ピックアップ９より出力される信号から、トラッキングエラー信号とフォーカスエラー信号とを生成してサーボ制御部１０に出力する。また、同期検出部１１を用いて、ピックアップ９より出力される信号からクロックを生成してサーボ制御部１０に出力する。また、生成したクロックを用いてデジタルデータを取り出す。そして後、復調部１２を用いて、同期検出部１１により取り出されたデータを、符号化前のデータに復調する。次いで、エラー訂正部１３を用いて、復調されたデータのエラー訂正を行った後、デコーダ部３に出力する。
【００２４】
デコーダ部３は、信号処理部２から出力されるデータのうち、映像信号を示すデータであるビデオストリームについては、映像信号デコーダ１５を用いて伸長した後、アナログの映像信号に変換してテレビ受像機３１に出力する。また、信号処理部２から出力されるデータのうち、音声信号を示すデータであるオーディオストリームについては、音声信号デコーダ１６を用いて伸長した後、アナログの音声信号に変換してテレビ受像機３１に出力する。
【００２５】
また、信号処理部２から出力されるデータのうち、字幕を示すデータであるサブタイトルストリームについては、サブタイトルデコーダ１７を用いて伸長した後、映像信号デコーダ１５において伸長された映像信号に重畳する。また、オンスクリーンディスプレイ部（ＯＳＤ部）１８を用いて、必要となる情報を表示するための文字等を示す信号を映像信号に重畳する。
【００２６】
また、デコーダ部３は、信号処理部２より出力されるデータから、選択が可能なオーディオストリーム（音声）の全種類、選択が可能なサブタイトルストリーム（字幕）の全種類、選択が可能なアングルの全種類を示す情報を取り出してマイクロコンピュータ４に出力する。また、ビデオストリームの再生位置を示す情報をマイクロコンピュータ４に出力する。
【００２７】
入力部５は、装置本体の前面パネルに設けられた複数のキースイッチ（図示を省略）や、リモートコントローラ６から送信される赤外線信号を受光する受光ユニット（図示を省略）等を備えており、ユーザからの指示が入力される。そして、入力されたユーザからの指示をマイクロコンピュータ４に送出する。リモートコントローラ６には、数字キーや各種の指示のためのキースイッチが設けられている。また、図５に示したように、カーソルの移動等のための４つの方向キー６３、選択項目が決定されたことを入力するための決定キー６４、マーカサーチキー６１、および、再生キー６２、等を備えている。
【００２８】
マイクロコンピュータ４は、ＤＶＤ再生装置としての主要動作を制御するためのブロックとなっており、信号処理部２の動作、および、デコーダ部３の動作を制御する。このため、機能の一部として、マーカ情報記憶手段２０と再生制御手段２１とを構成する。
【００２９】
詳細には、マーカ情報記憶手段２０は、ＤＶＤ７の再生中に、マーカサーチキー６１の操作等を行ったときには、マーカに対応付けてビデオストリームの再生位置を記憶する。また、併せて、そのときに再生されていたオーディオストリームの種類を示すオーディオストリーム情報と、そのときに表示されていたサブタイトルストリームの種類を示すサブタイトルストリーム情報と、そのときのアングルの種類を示すアングル情報とを、マーカに対応付けて記憶する。
【００３０】
また、マーカ情報記憶手段２０は、マーカに対応した情報の表示となるときには、マーカに対応付けて記憶した再生位置とオーディオストリーム情報とサブタイトルストリーム情報とアングル情報とを表示する。そして、これら３種の情報を表示した状態において、オーディオストリーム情報の変更となるときには、マーカに対応付けて記憶するオーディオストリーム情報を、既に記憶していたオーディオストリーム情報から指示されたオーディオストリーム情報に変更する。
【００３１】
また、サブタイトルストリーム情報の変更となるときには、マーカに対応付けて記憶するサブタイトルストリーム情報を、既に記憶していたサブタイトルストリーム情報から指示されたサブタイトルストリーム情報に変更する。また、アングル情報の変更となるときには、マーカに対応付けて記憶するアングル情報を、既に記憶していたアングル情報から指示されたアングル情報に変更する。
【００３２】
再生制御手段２１は、マーカに基づく再生を指示されたときには、マーカに対応付けて記憶した再生位置からビデオストリームの再生を開始する。なお、この再生を行うときには、再生するオーディオストリームの種類をマーカに対応付けて記憶されたオーディオストリーム情報が示す種類とし、表示するサブタイトルストリームの種類をマーカに対応付けて記憶されたサブタイトルストリーム情報が示す種類とし、再生するアングルをマーカに対応付けて記憶されたアングル情報が示すアングルとする。
【００３３】
以下に補足的な説明を行うと、スピンドルモータ８、ピックアップ９、サーボ制御部１０、信号処理部２、および、デコーダ部３からなるブロック１は、請求項記載の記録媒体再生手段となっている。
【００３４】
図１〜図３は、実施形態の主要動作を示すフローチャートである。必要に応じて同図を参照しつつ、実施形態の動作を説明する。
【００３５】
いま、ＤＶＤ７が再生されているとする。また、マーカの数は４つになっているとする。また、全てのマーカには、再生位置等の情報を対応付けた記憶が行われていないとする。この状態においてマーカサーチキー６１を操作する（ステップＳ１）と、マーカ情報記憶手段２０は、少なくとも１つのマーカには、再生位置等の情報が対応付けて記憶されているかどうかを調べる（ステップＳ２）。このときでは、全てのマーカには、再生位置等の情報を対応付けた記憶が行われていないので、動作はステップＳ２からステップＳ３１に移行し、マーカ情報記憶手段２０は、ＤＶＤ７の再生中であるかどうかを調べる。
【００３６】
このときは再生中であるため、マーカ情報記憶手段２０は、マーカに対応付けて記憶する情報の一覧を、テレビ受像機３１の画面の上部側に重畳表示する。すなわち、図６に示したように、表示エリア４０の上部側に設定されたマーカエリア４１に、４つのマーカのそれぞれを示す『１』〜『４』の数字を表示する。また、マーカ『１』が、カーソルＣ１が位置する番号となっていることを示すため、マーカ番号『１』の表示色を、その他の番号の表示色とは異なる色に設定する。そして、マーカエリア４１の下方のエリアである情報エリア４２の最上部に、いま再生中であるタイトルを示す番号４２１と再生位置を示す時間情報４２２とを表示する。
【００３７】
また、これらの情報の表示位置の下方に、オーディオストリームであることを示す『音声』を文字表示する（４２３により示す）とともに、文字表示４２３の下方に、現在再生中のオーディオストリームの種類を示すオーディオストリーム情報（音声の種類を示す情報）４２３１を表示する。また、サブタイトルストリームであることを示す『字幕』を文字表示する（４２４により示す）とともに、文字表示４２４の下方に、再生中のサブタイトルストリームの種類を示すサブタイトルストリーム情報（字幕の種類を示す情報）４２４１を表示する。また、アングルであることを示す『アングル』を文字表示する（４２５により示す）とともに、文字表示４２５の下に、再生中のアングルの種類を示すアングル情報４２５１を表示する。
【００３８】
上記状態において、マーカ情報記憶手段２０は、横方向へのカーソルの移動を指示するカーソルキー６３１，６３２が操作されたかどうか（ステップＳ３３）、決定キー６４が操作されたかどうか（ステップＳ３５）、マーカサーチキー６１が操作されたかどうか（ステップＳ３８）を調べる。そして、横方向への移動を示すカーソルキー６３１，６３２が操作されたときには、カーソルを横方向に移動する（ステップＳ３４）。すなわち、カーソルキー６３２が操作された場合には、カーソルを、マーカ番号の『１』からマーカ番号の『２』に移動する。また、マーカサーチキー６１が操作されたときには、マーカに対応付けて情報を記憶する動作を中止するため、情報の重畳表示を停止する（ステップＳ３８，Ｓ３７）。
【００３９】
また、決定キー６４が操作された場合では、マーカ情報記憶手段２０は、情報エリア４２に表示していたタイトルの番号４２１、再生位置を示す時間情報４２２、音声の種類を示すオーディオストリーム情報４２３１、字幕の種類を示すサブタイトルストリーム情報４２４１、アングルの種類を示すアングル情報４２５１を、このときにカーソルが位置していた番号のマーカに対応付けて記憶する（ステップＳ３５，Ｓ３６）。そして後、情報の重畳表示を停止する（ステップＳ３７）。
【００４０】
一方、ＤＶＤ７の再生を行うことなく、停止状態にあるときにマーカサーチキー６１が操作されると、動作は、ステップＳ３１からステップＳ３９に移行する。このため、マーカ情報記憶手段２０は、マーカに対応付けた情報の記憶が行われていないことを示すメッセージを表示する（ステップＳ３９）。そして後、マーカサーチキー６１が操作されたときには、マーカに対応付けた情報の記憶が行われていないことを示すメッセージの表示を直ちに停止する（ステップＳ４０，Ｓ３７）。一方、マーカサーチキー６１が操作されなかった場合では、所定時間が経過したときに、マーカに対応付けた情報の記憶が行われていないことを示すメッセージの表示を停止する（ステップＳ４０，Ｓ４１，Ｓ３７）。
【００４１】
以上で、全てのマーカが、再生位置等の情報が対応付けられていないマーカとなっているときの動作説明を終了し、以下に、少なくとも１つのマーカについては、再生位置等の情報が対応付けられている場合の動作について説明する。
【００４２】
いま、ＤＶＤ７が再生されているとする。また、３つのマーカ（番号が『１』、『２』、『４』のマーカ）には、既に、再生位置等の情報が対応付けて記憶されているとする。この状態においてマーカサーチキー６１を操作する（ステップＳ１）と、マーカ情報記憶手段２０は、少なくとも１つのマーカには、再生位置等の情報が対応付けて記憶されているかどうかを調べる（ステップＳ２）。このときでは、３つのマーカには、再生位置等の情報が対応付けて記憶されているので、最も新しく情報が対応付けて記憶された番号のマーカに対応する情報が表示される（ステップＳ３）。
【００４３】
いま、最も新しく情報が対応付けて記憶されたマーカ番号が『１』であるとすると、テレビ受像機３１の画面には、図７の（Ａ）に示す情報が、再生中の画像の上部側に重畳表示される。
【００４４】
すなわち、マーカエリア４１には、４つのマーカのそれぞれを示す『１』〜『４』の数字が表示される（マーカ番号の『３』は、対応する情報が記憶されていないため、その他の数字とは異なる色でもって表示されるようになっている）。また、マーカ『１』が、情報の表示対応となっていることを示すため、マーカ番号『１』は、その他の番号の表示色とは異なる色でもって表示される。また、番号『１』にカーソルが位置される（Ｃ２により示す）。そして、情報エリア４２の最上部には、タイトルを示す番号４２１と再生位置を示す時間情報４２２ａとが表示される。
【００４５】
また、これらの情報の表示位置の下方には、『音声』が文字表示される（４２３により示す）とともに、文字表示４２３の下方に、対応付けて記憶されたオーディオストリームの種類を示すオーディオストリーム情報４２３１が表示される。また、『字幕』が文字表示される（４２４により示す）とともに、文字表示４２４の下方に、対応付けて記憶されたサブタイトルストリームの種類を示すサブタイトルストリーム情報４２４１が表示される。また、『アングル』が文字表示される（４２５により示す）とともに、文字表示４２５の下に、対応付けて記憶されたアングル情報４２５１が表示される。
【００４６】
上記表示が行われた状態において、マーカ情報記憶手段２０は、横方向への移動を示すカーソルキー６３１，６３２が操作されたかどうか（ステップＳ４）、再生キー６２が操作されたかどうか（ステップＳ１１）、マーカサーチキー６１が操作されたかどうか（ステップＳ１３）、下方向への移動を示すカーソルキー６３４が操作されたかどうか（ステップＳ１５）を調べる。
【００４７】
横方向への移動を示すカーソルキー６３１，６３２が操作されると、カーソルを横方向に移動する。すなわち、カーソルキー６３２を操作すると、カーソルを、マーカ番号の『１』からマーカ番号の『２』に移動する。そして、情報エリア４２に、番号が２であるマーカに対応して記憶された情報（タイトル番号、再生位置を示す時間情報、オーディオストリーム情報、サブタイトルストリーム情報、アングル情報）を表示する（ステップＳ４〜Ｓ７）。
【００４８】
なお、カーソルを、マーカ番号の『３』に移動させたときには、番号３のマーカには、情報が対応付けて記憶されていないため、動作がステップＳ６からステップＳ８に移行する。このステップＳ８の動作は、図３を参照しつつ行った動作と略同一となる（差異は、ステップＳ３４においてカーソルを移動したとき、移動したカーソルに対応するマーカが、情報が対応付けて記憶されたマーカである場合には、動作がステップＳ７に移行して、対応付けて記憶された情報が重畳表示される点にある）。
【００４９】
一方、図７の（Ａ）に示す情報が重畳表示された状態において、下方向への移動を示すカーソルキー６３４を操作すると、動作は、ステップＳ１５からステップＳ１６へと移行し、マーカに対応付けて記憶された情報を変更するための動作に移行する。
【００５０】
図２は、ステップＳ１６の動作の詳細を示している。すなわち、マーカに対応付けて記憶された情報を変更する動作に移行したときには、図７の（Ｂ）に示したように、ＤＶＤ７において記録されたオーディオストリームの種類の全てを表示する。且つ、カーソルを、マーカ番号『１』に対応付けて記憶されていたオーディオストリーム情報である『１／３  ＥＮＧ  ＤＤ５．１ｃｈ』の表示位置に移動させる（Ｃ３により示す）。また、選択項目がオーディオストリーム情報であることを示すため、『音声』の文字を、『字幕』や『アングル』の文字とは異なる色でもって表示する（ステップＳ２１）。
【００５１】
この状態において、上下方向の移動を示すカーソルキー６３３，６３４が操作されると、カーソルを位置させるオーディオストリーム情報を、それまでのオーディオストリーム情報から、１つ上のオーディオストリーム情報または１つ下のオーディオストリーム情報に移動する。すなわち、下方への移動を示すカーソルキー６３４を操作したときでは、図７の（Ｃ）に示したように、カーソルが、情報『１／３  ＥＮＧ  ＤＤ５．１ｃｈ』から、情報『２／３  ＪＰＮ  ＤＤ２．０ｃｈ』へと移動される（ステップＳ２４，Ｓ２５）。
【００５２】
また、横方向の移動を示すカーソルキー６３１，６３２を操作したときでは、図８の（Ａ）に示したように、選択項目が、『音声』（オーディオストリーム）から『字幕』（サブタイトルストリーム）に移動する。すなわち、『字幕』の文字が、『音声』や『アングル』の文字とは異なる色でもって表示され、項目として、サブタイトルストリームが選択されたことが示される。また、表示が可能なサブタイトルストリームの全てを表示する（ステップＳ２２，Ｓ２３）（『３／３  ｎｏｔ』は、字幕の表示無しを示している）。
【００５３】
なお、移動前の項目（『音声』）については、項目の移動前にカーソルが位置していた情報（『２／３  ＪＰＮ  ＤＤ２．０ｃｈ』）のみを表示することにより、移動前の項目（『音声』の項目）において、選択された種類（変更用として指示された種類）が何であったのかを示すようになっている。
【００５４】
以下、同様の動作（横方向の移動を示すカーソルキー６３１，６３２を操作することによって、変更対象となる項目を移動し、上下方向の移動を示すカーソルキー６３３，６３４を操作することによって、各項目におけるストリームの種類を選択する）によって、字幕の種類やアングルの種類を選択する（図８の（Ｂ）は、アングルの種類を選択するときの表示を示している。なお、アングル『４／９』〜『９／９』はスクロール表示される）。
【００５５】
各項目の選択が終了したことから、決定キー６４を操作すると、マーカ情報記憶手段２０は、図８の（Ｃ）に示したように、各ストリームにおいて選択された種類を表示し、選択されなかった種類の表示を停止する。また、カーソルを、対応付けるマーカ番号の表示位置に移動させる（Ｃ５により示す）（ステップＳ２６，Ｓ２７）。従って、マーカ番号『１』に対応付けて記憶されることになる情報が一覧表示されるので、この表示から、選択内容を確認することができる（ステップＳ２８）。また、マーカ情報記憶手段２０は、表示された選択内容をマーカ番号『１』に対応付けて記憶する（ステップＳ２９）。
【００５６】
以上で、各ストリームにおける種類の変更のための動作説明を終了し、図１を参照した動作説明に戻る。
【００５７】
ステップＳ１６の動作を終了したときには、テレビ受像機３１には、図８の（Ｃ）に示す情報が表示されている。この状態において再生キー６２を操作すると、マーカ番号『１』に対応付けて記憶された内容に基づく再生が開始される。すなわち、タイトル『１』のビデオストリームのアングル『１』の内容が、『０：２５：００』に対応する位置から再生される。また、２チャンネルの日本語による音声が再生される。また、日本語による字幕が表示される（ステップＳ１１，Ｓ１２）。
【００５８】
一方、図８の（Ｃ）に示す情報が表示された状態において、マーカサーチキー６１を操作したときには、情報の表示が停止される。つまり、このときでは、マーカに対応付けて記憶する内容の変更のみが行われることになる（ステップＳ１３，Ｓ１４）。
【００５９】
なお、本発明は上記実施形態に限定されず、記録媒体については、ＤＶＤとは異なる光ディスク、あるいは、光磁気ディスク、さらには、磁気ディスク（ハードディスクを含む）とする場合にも、同様に適用することができる。また、映像信号の記録再生が可能な装置の場合にも、同様に適用することができる。
【図面の簡単な説明】
【００６０】
【図１】本発明に係る映像信号再生装置の一実施形態であるＤＶＤ再生装置の主要動作を示すフローチャートである。
【図２】実施形態の主要動作を示すフローチャートである。
【図３】実施形態の主要動作を示すフローチャートである。
【図４】実施形態の電気的構成を示すブロック線図である。
【図５】リモートコントローラに設けられたキースイッチを示す説明図である。
【図６】マーカに対応付けて情報を記憶するときの表示内容を示す説明図である。
【図７】マーカに対応付けて記憶する情報を変更するときの表示内容の変化を示す説明図である。
【図８】マーカに対応付けて記憶する情報を変更するときの表示内容の変化を示す説明図である。
【符号の説明】
【００６１】
１  記録媒体再生手段
２０  マーカ情報記憶手段
２１  再生制御手段
４１  マーカエリア
４２  情報エリア
４２２，４２２ａ  再生位置を示す時間情報
４２３１  オーディオストリーム情報
４２４１  サブタイトルストリーム情報
４２５１  アングル情報
Ｓ３  マーカに対応付けて記憶された情報を表示するステップ
Ｓ１６  マーカに対応付けて記憶する情報を変更するステップ
【図１】
2005116002.tif 000003
【図２】
2005116002.tif 000004
【図３】
2005116002.tif 000005
【図４】
2005116002.tif 000006
【図５】
2005116002.tif 000007
【図６】
2005116002.tif 000008
【図７】
2005116002.tif 000009
【図８】
2005116002.tif 000010